(57)【要約】【課題】各々、雄部及び雌部を有する玩具ブロックの連結面同士を様々な角度で連結することができる組立玩具を提供する。【解決手段】組立玩具は、両端に第一平面１５ａ及び第二平面１５ｂを有する。第一平面１５ａには雄部１１ａ，１１ｂが垂直に突出し、雌部１２ａ，１２ｂが垂直に窪んで形成される。また、第二平面１５ｂにも雄部１１ｃ，１１ｄが垂直に突出し、雌部１２ｃ，１２ｄが垂直に窪んで形成される。小パイプ型ブロック１０と他の小パイプ型ブロック１０’とが連結する際、これらの雄部１１ｃ，１１ｄは他の玩具ブロック１０’の雌部１２ｅ，１２ｆに嵌合し、他の玩具ブロック１０’の雄部１１ｅ，１１ｆは玩具ブロック１０の雌部１２ｃ，１２ｄに嵌合する。よって、小パイプ型ブロック１０と他の小パイプ型ブロック１０’とが連結した状態において、互いの小パイプ型ブロック１０，１０’は回転する。【選択図】図１
2016179147.tif 000002
【特許請求の範囲】
【請求項１】
互いに連結され得る第一の玩具ブロック及び第二の玩具ブロックを有する組立玩具であって、
前記玩具ブロックの各々は、
少なくとも１つの平面と、
前記平面から垂直に突出して延びる雄部と、
前記平面から前記雄部の突出方向と反対の方向に垂直に窪んで形成される雌部とを備え、
前記雄部及び前記雌部は前記平面上において同一の円周上に設けられ、
前記第一の玩具ブロックの前記雄部が前記第二の玩具ブロックの前記雌部に着脱可能に嵌合するとともに、前記第二の玩具ブロックの前記雄部が前記第一の玩具ブロックの前記雌部に着脱可能に嵌合することにより、
前記第一玩具ブロックと前記第二の玩具ブロックとは連結可能であるとともに、前記第一の玩具ブロックは前記第二の玩具ブロックに対して連結位置を変更可能である組立玩具。
【請求項２】
前記第一の玩具ブロックと前記第二の玩具ブロックとが互いに連結した状態を保持しながら、前記第一の玩具ブロックは前記第二の玩具ブロックに対して移動可能である請求項１に記載の組立玩具。
【請求項３】
前記雄部は前記平面から突出する柱形状の凸部を有し、
前記雌部は前記平面上に円弧状の帯状に形成される凹部を有し、
前記雄部の前記凸部は前記雌部の前記凹部に対して前記凹部の幅方向において嵌合可能であり、
前記第一の玩具ブロックと前記第二の玩具ブロックとが互いに連結した状態を保持しながら、前記第一の玩具ブロック及び前記第二の玩具ブロックの各々の前記雄部の前記凸部が各々の前記雌部の前記凹部に沿って円弧状に移動することにより、前記第一の玩具ブロックは前記第二の玩具ブロックに対して回転する請求項１又は２に記載の組立玩具。
【請求項４】
前記雄部と前記雌部とが前記同一の円周上において交互に配置される請求項１〜３のいずれか一項に記載の組立玩具。
【請求項５】
前記雄部と前記雌部とが前記同一の円周上において、少なくとも１つの前記雄部と、前記雄部よりも多い複数の前記雌部との配列を繰り返して配置される請求項１〜４のいずれか一項に記載の組立玩具。
【発明の詳細な説明】
【技術分野】
【０００１】
この発明は、組立玩具に関する。
【背景技術】
【０００２】
従来、複数のブロックを連結させることにより、種々の形状を作り上げて遊ぶ組立玩具がある。例えば、特許文献１には、六面に凹凸を有する略立法形状の複数のブロックの凹部と凸部とを互い違いに係合させ、三次元的に種々な形を造形するブロック組立玩具が記載されている。ここで、ブロックの六面の各々に形成される凸部及び凹部は、ブロック同士を連結させるための雄部及び雌部として構成される。
【先行技術文献】
【特許文献】
【０００３】
【特許文献１】特許第３５６７２６７号公報
【発明の概要】
【発明が解決しようとする課題】
【０００４】
しかしながら、特許文献１のブロック組立玩具では、ブロック同士を連結させる際、ブロックの面に形成される凹凸に対して別のブロックの面を決まった角度でしか組み合わせることができない。すなわち、様々な角度をつけてブロック同士を連結させることはできない。そのため、ブロックを組み合わせることによる造形の自由度が制限される。
【０００５】
この発明は、このような問題を解決するためになされ、少なくとも一面に雄部及び雌部を有する複数の玩具ブロックの連結面同士を様々な角度で連結することができる組立玩具を提供することを目的とする。
【課題を解決するための手段】
【０００６】
上記の課題を解決するために、この発明に係る組立玩具は、互いに連結され得る第一の玩具ブロック及び第二の玩具ブロックを有し、玩具ブロックの各々は、少なくとも１つの平面と、平面から垂直に突出して延びる雄部と、平面から雄部の突出方向と反対の方向に垂直に窪んで形成される雌部とを備え、雄部及び雌部は平面上において同一の円周上に設けられ、第一の玩具ブロックの雄部が第二の玩具ブロックの雌部に着脱可能に嵌合するとともに、第二の玩具ブロックの雄部が第一の玩具ブロックの雌部に着脱可能に嵌合することにより、第一玩具ブロックと第二の玩具ブロックとは連結可能であるとともに、第一の玩具ブロックは第二の玩具ブロックに対して連結位置を変更可能である。
【０００７】
また、この発明に係る組立玩具において、第一の玩具ブロックと第二の玩具ブロックとが互いに連結した状態を保持しながら、第一の玩具ブロックは第二の玩具ブロックに対して移動可能であってもよい。
【０００８】
また、この発明に係る組立玩具の玩具ブロックの雄部は平面から突出する柱形状の凸部を有し、雌部は平面上に円弧状の帯状に形成される凹部を有し、雄部の凸部は雌部の凹部に対して凹部の幅方向において嵌合可能であり、第一の玩具ブロックと第二の玩具ブロックとが互いに連結した状態を保持しながら、第一の玩具ブロック及び第二の玩具ブロックの各々の雄部の凸部が各々の雌部の凹部に沿って移動することにより、第一の玩具ブロックは第二の玩具ブロックに対して回転してもよい。
【０００９】
また、雄部と雌部とは同一の円周上において交互に配置されてもよい。
またさらに、雄部と雌部とは同一の円周上において、少なくとも１つの雄部と、雄部よりも多い複数の雌部との配列を繰り返して配置されていてもよい。
【発明の効果】
【００１０】
この発明に係る組立玩具によれば、少なくとも一面に雄部及び雌部を有する複数の玩具ブロックの連結面同士を様々な角度で連結することができる。
【図面の簡単な説明】
【００１１】
【図１】この発明の実施の形態に係る組立玩具の玩具ブロックの一例である小パイプ型ブロックを示す斜視図であり、２個の小パイプ型ブロックを結合させる様子を示す図である。
【図２】図１に示す小パイプ型ブロックの第一平面の詳細な形状を示す平面図である。
【図３Ａ】図１に示す小パイプ型ブロックの正面図である。
【図３Ｂ】図１に示す小パイプ型ブロックの背面図である。
【図３Ｃ】図１に示す小パイプ型ブロックの左側面図である。
【図３Ｄ】図１に示す小パイプ型ブロックの右側面図である。
【図３Ｅ】図１に示す小パイプ型ブロックの平面図である。
【図３Ｆ】図１に示す小パイプ型ブロックの底面図である。
【図３Ｇ】図１に示す小パイプ型ブロックの、図３Ｅに示すＡ−Ａ線に沿った断面図である。
【図３Ｈ】図１に示す小パイプ型ブロックの、図３Ｅに示すＢ−Ｂ線に沿った断面図である。
【図３Ｉ】図１に示す小パイプ型ブロックの参考斜視図である。
【図４】この発明の実施の形態に係る組立玩具の玩具ブロックの一例である中パイプ型ブロックを示す斜視図であり、２個の中パイプ型ブロックを結合させる様子を示す図である。
【図５Ａ】図４に示す中パイプ型ブロックの正面図である。
【図５Ｂ】図４に示す中パイプ型ブロックの背面図である。
【図５Ｃ】図４に示す中パイプ型ブロックの左側面図である。
【図５Ｄ】図４に示す中パイプ型ブロックの右側面図である。
【図５Ｅ】図４に示す中パイプ型ブロックの平面図である。
【図５Ｆ】図４に示す中パイプ型ブロックの底面図である。
【図５Ｇ】図４に示す中パイプ型ブロックの、図５Ｅに示すＡ−Ａ線に沿った断面図である。
【図５Ｈ】図４に示す中パイプ型ブロックの、図５Ｅに示すＢ−Ｂ線に沿った断面図である。
【図５Ｉ】図４に示す中パイプ型ブロックの参考斜視図である。
【図６】この発明の実施の形態に係る組立玩具の玩具ブロックの一例である大パイプ型ブロックを示す斜視図であり、２個の大パイプ型ブロックを結合させる様子を示す図である。
【図７Ａ】図６に示す大パイプ型ブロックの正面図である。
【図７Ｂ】図６に示す大パイプ型ブロックの背面図である。
【図７Ｃ】図６に示す大パイプ型ブロックの左側面図である。
【図７Ｄ】図６に示す大パイプ型ブロックの右側面図である。
【図７Ｅ】図６に示す大パイプ型ブロックの平面図である。
【図７Ｆ】図６に示す大パイプ型ブロックの底面図である。
【図７Ｇ】図６に示す大パイプ型ブロックの、図７Ｅに示すＡ−Ａ線に沿った断面図である。
【図７Ｈ】図６に示す大パイプ型ブロックの、図７Ｅに示すＢ−Ｂ線に沿った断面図である。
【図７Ｉ】図６に示す大パイプ型ブロックの、図７Ｅに示すＣ−Ｃ線に沿った断面図である。
【図７Ｊ】図６に示す大パイプ型ブロックの参考斜視図である。
【図８】図１に示す小パイプ型ブロックを３個、中心位置をずらして互いに結合させた様子を示す図である。
【図９】図１に示す小パイプ型ブロックと、図６に示す大パイプ型ブロックとを結合させた様子を示す図である。
【図１０】この発明の実施の形態に係る組立玩具の玩具ブロックの一例である中レジューサ型ブロックを示す図であり、図１０（ａ）は中レジューサ型ブロックの斜視図を、図１０（ｂ）は中レジューサ型ブロックの平面図を、また、図１０（ｃ）は中レジューサ型ブロックの底面図を各々示す。
【図１１】この発明の実施の形態に係る組立玩具の玩具ブロックの一例である中キャップ型ブロックを示す図であり、図１１（ａ）は中キャップ型ブロックの斜視図を、図１１（ｂ）は中キャップ型ブロックの平面図を、また、図１１（ｃ）は中キャップ型ブロックの底面図を各々示す。
【図１２】図１２（ｉ），（ｉｉ）は、各々この発明の実施の形態に係る組立玩具の玩具ブロックの一例を示す図であり、図１２（ｉ）は小エルボ型（９０度）ブロックを示す斜視図であり、図１２（ｉｉ）は小エルボ型（４５度）ブロックを示す斜視図である。
【図１３】図１３（ｉ）〜（ｉｉｉ）は、それぞれこの発明の実施の形態に係る組立玩具の玩具ブロックの別の例である小チーズ型ブロック、小クロス型（１８０度）ブロック及び中クロス型（９０度）ブロックを示す斜視図である。
【図１４】この発明の実施の形態に係る組立玩具の玩具ブロックの別の例である大キャップ型（亜種）ブロックを示す図であり、図１４（ａ）は大キャップ型（亜種）ブロックの側面図を示し、図１４（ｂ）は大キャップ型（亜種）ブロックの平面図を示す。
【図１５】図１５（ｉ）〜（ｉｉｉ）は、図１〜図１３に示す玩具ブロックを結合する際の組み合わせの例を示す斜視図である。
【図１６】図１６（ａ）〜（ｃ）は、図１〜図１３に示す玩具ブロックを用いてクマの人形を組み立てた例である。
【図１７】図１７（ａ）〜（ｃ）は、図１６に示すクマの人形の顔の部分の構造を示す図であり、図１７（ａ）は顔の斜視図であり、図１７（ｂ）は顔の側面図であり、図１７（ｃ）は顔の分解図である。
【図１８】図１８（ｉ）及び（ｉｉ）は、この発明の実施の形態に示す組立玩具の玩具ブロックを雑貨としての使用に応用した例を示す図である。
【図１９】この発明の実施の形態に示す組立玩具の玩具ブロックの組み立ての態様の例を変位図示によって示す斜視図である。
【図２０】この発明の実施の形態に示す組立玩具の玩具ブロックの組み立ての態様の例を変位図示によって示す斜視図である。
【図２１】この発明の別の例として示す組立玩具の玩具ブロックを示す斜視図であり、２個の玩具ブロックを結合させる様子を示す図である。
【図２２】この発明の別の例として示す組立玩具の玩具ブロックを示す斜視図であり、２個の玩具ブロックを結合させる様子を示す図である。
【図２３】この発明の別の例として示す組立玩具の玩具ブロックを示す図であり、図２３（ａ）は玩具ブロックの平面図であり、図２３（ｂ）は２個の玩具ブロックを結合させる様子を示す斜視図である。
【発明を実施するための形態】
【００１２】
以下、この発明の実施の形態について添付図面に基づいて説明する。なお、この発明において組立玩具とは、以下に説明する各種の玩具ブロックの各々を着脱可能に組み合わせて、種々の形状の構造物を造形するおもちゃである。
まず、図１，２及び図３Ａ〜３Ｉに基づいて、組立玩具の玩具ブロックとしての小パイプ型ブロック１０について説明する。なお、図３Ａの正面図は図３Ｂの背面図と対称であり、図３Ｃの左側面図は図３Ｄの右側面図と対称である。
図１を参照すると、第一の玩具ブロックである小パイプ型ブロック１０は略円筒形状の円筒部分１６を有する。円筒部分１６の両端には、円形の第一平面１５ａ及び第二平面１５ｂが互いに平行に形成されている。ここで、第一平面１５ａの中央部分には、貫通孔１３が形成され、小パイプ型ブロック１０の軸方向に延びている。第一平面１５ａ上では、貫通孔１３を挟んで対称となる位置に一対の円柱形状の凸部である雄部１１ａ，１１ｂが第一平面１５ａから垂直に突出して延びている。
なお、以下の説明において雄部が第一平面に対して垂直に突出する突出方向をＸ方向正側とし、Ｘ方向正側の反対の方向をＸ方向負側とする。
【００１３】
そして、雄部１１ａと雄部１１ｂとの間には、一対の雌部１２ａ，１２ｂが、貫通孔１３を挟んで対称となる位置に形成される。図２に示すように、雌部１２ａは、円弧状の細長帯形状である帯状部１２１の両端の各々に略半円形状の半円部１２２，１２３が接続された形状をなす凹部であり、第一平面１５ａから垂直にＸ方向負側に向かって窪んで形成されている。また同様に、雌部１２ｂは、円弧状の細長帯形状である帯状部１２４の両端の各々に半円部１２５，１２６が接続された形状をなす凹部であり、Ｘ方向負側に窪んで形成されている。すなわち、一対の雌部１２ａ，１２ｂは、第一平面１５ａ上に、円弧形状の帯状の溝として形成されている。なお、雌部１２ａ，１２ｂの幅方向の長さは雄部１１ａ，１１ｂの直径とほぼ同一である。また、雄部１１ａ，１１ｂと雌部１２ａ，１２ｂとは同一の円周上に配列されるように設けられている。
【００１４】
また、第二平面１５ｂは第一平面１５ａと同様の形状を有している。すなわち、第二平面１５ｂにも、第一平面１５ａの雄部１１ａ，１１ｂ及び雌部１２ａ，１２ｂと同様の形状の一対の雄部１１ｃ，１１ｄ及び一対の雌部１２ｃ，１２ｄが形成される。ここで、雌部１２ｃ，１２ｄは、第二平面１５ｂから、雄部１１ｃ，１１ｄの突出方向であるＸ方向負側とは反対の方向のＸ方向正側に垂直に窪んで形成されている。また、雄部１１ｃ，１１ｄと雌部１２ｃ，１２ｄとは同一の円周上に配列されるように設けられる。なお、図３Ｅ及び図３Ｆに示すように、第一平面１５ａの雄部１１ａ，１１ｂ及び雌部１２ａ，１２ｂと第二平面１５ｂの雄部１１ｃ，１１ｄ及び雌部１２ｃ，１２ｄとの位置は、互いに９０°位相が異なっている。
【００１５】
次に、図１のように小パイプ型ブロック１０を、同様の構造を有する第二の玩具ブロックである他の小パイプ型ブロック１０’と結合させる際の結合の方法について説明する。
なお、小パイプ型ブロック１０と結合させる他の小パイプ型ブロック１０’は、小パイプ型ブロック１０と同様に、雄部１１ｅ，１１ｆ及び雌部１２ｅ，１２ｆが形成された平面１５ｃを備えている。従って、小パイプ型ブロック１０を他の小パイプ型ブロック１０’と結合させる際は、小パイプ型ブロック１０の第二平面１５ｂの雄部１１ｃ，１１ｄをそれぞれ、他の小パイプ型ブロック１０’の平面１５ｃの雌部１２ｅ，１２ｆに係合させる。ここで、他の小パイプ型ブロック１０’の平面１５ｃの雌部１２ｅ，１２ｆの幅方向の長さは、小パイプ型ブロック１０の第二平面１５ｂの雄部１１ｃ，１１ｄの直径とほぼ同一である。そのため、小パイプ型ブロック１０の雄部１１ｃ，１１ｄは、他の小パイプ型ブロック１０’の雌部１２ｅ，１２ｆに対して、意図的に引っ張り力を加えない限りは容易に抜けないように嵌合されて取り付けられている。一方、小パイプ型ブロック１０の雄部１１ｃ，１１ｄは、他の小パイプ型ブロック１０’の雌部１２ｅ，１２ｆに嵌合された状態のまま雌部１２ｅ，１２ｆに沿って円周方向に円弧状に移動することができる。
【００１６】
また、雄部１１ｃ，１１ｄと雌部１２ｅ，１２ｆとの係合と同様の方法で、他の小パイプ型ブロック１０’の平面１５ｃの雄部１１ｅ，１１ｆも、小パイプ型ブロック１０の第二平面１５ｂの雌部１２ｃ，１２ｄに係合される。ここで、小パイプ型ブロック１０の第二平面１５ｂの雌部１２ｃ，１２ｄの幅方向の長さも、他の小パイプ型ブロック１０’の平面１５ｃの雄部１１ｅ，１１ｆの直径とほぼ同一である。従って、他の小パイプ型ブロック１０’の雄部１１ｅ，１１ｆは、小パイプ型ブロック１０の雌部１２ｃ，１２ｄに嵌合された状態のまま雌部１２ｃ，１２ｄに沿って円周方向に円弧状に移動することができる。よって、小パイプ型ブロック１０と他の小パイプ型ブロック１０’とは、結合された後、連結した状態を保持しながら図１の矢印に示すように互いに回転させることができる。すなわち、小パイプ型ブロック１０は他の小パイプ型ブロック１０’の平面１５ｃに対して連結位置を適宜変更することができる。
なお、互いに結合された小パイプ型ブロック１０と他の小パイプ型ブロック１０’とを一定の力を加えて引っ張った場合は、両者は取り外すことができる。すなわち、小パイプ型ブロック１０と他の小パイプ型ブロック１０’とは着脱可能に結合される。
【００１７】
次に、図４及び図５Ａ〜５Ｉに基づいて、組立玩具の玩具ブロックとしての中パイプ型ブロック２０について説明する。なお、図５Ａの正面図は図５Ｂの背面図と対称であり、図５Ｃの左側面図は図５Ｄの右側面図と対称である。
第一の玩具ブロックである中パイプ型ブロック２０は略円筒形状の円筒部分２６を有する。円筒部分２６の両端には各々、略円環形状の平面である第一平面２５ａ及び第二平面２５ｂが互いに平行に形成されている。すなわち、第一平面２５ａ及び第二平面２５ｂの外周は円形である。なお、中パイプ型ブロック２０の第一平面２５ａ又は第二平面２５ｂの外径の大きさは、小パイプ型ブロック１０の第一平面１５ａ又は第二平面１５ｂの外径の大きさよりも大きい。ここで、第一平面２５ａの中央部分には、円形の開口２３が形成される。第一平面２５ａ上では、開口２３を挟んで互いに対称となる位置に、一対の円柱形状の凸部である雄部２１ａ，２１ｂがＸ方向正側に突出して延びている。また、一対の雄部２１ａ，２１ｂの間には、第一平面２５ａの形状に沿って延びる円弧状の細長帯形状の凹部である一対の雌部２２ａ，２２ｂが形成される。すなわち、雄部２１ａ，２１ｂと雌部２２ａ，２２ｂとは同一の円周上に配列されるように設けられる。なお、図５Ｇ及び図５Ｈに示すように、雌部２２ａ，２２ｂは第一平面２５ａに対してＸ方向負側に向かって延長して形成されている。また、第二平面２５ｂも第一平面２５ａと同様の形状を有する。ここで、第二平面２５ｂには、第一平面２５ａの雄部２１ａ，２１ｂ及び雌部２２ａ，２２ｂと同様の形状の一対の雄部２１ｃ，２１ｄ及び一対の雌部２２ｃ，２２ｄが形成される。すなわち、雄部２１ｃ，２１ｄ及び雌部２２ｃ，２２ｄも同一の円周上に配列されるように設けられている。なお、第一平面２５ａの雄部２１ａ，２１ｂ及び雌部２２ａ，２２ｂと第二平面２５ｂの雄部２１ｃ，２１ｄ及び雌部２２ｃ，２２ｄとの位置は、互いに９０°位相が異なっている。
【００１８】
図４を参照して、中パイプ型ブロック２０を、同様の構造を有する第二の玩具ブロックである他の中パイプ型ブロック２０’と着脱可能に結合させる際の結合の方法について説明する。なお、中パイプ型ブロック２０と結合させる他の中パイプ型ブロック２０’は、中パイプ型ブロック２０と同様に、雄部２１ｅ，２１ｆ及び雌部２２ｅ，２２ｆが形成された平面２５ｃを備えている。従って、中パイプ型ブロック２０を他の中パイプ型ブロック２０’と結合させる際、中パイプ型ブロック２０の第二平面２５ｂの雄部２１ｃ，２１ｄは各々、別の中パイプ型ブロック２０’の平面２５ｃの雌部２２ｅ，２２ｆに係合される。ここで、小パイプ型ブロック１０と同様に、中パイプ型ブロック２０の雄部２１ｃ，２１ｄは、他の中パイプ型ブロック２０’の雌部２２ｅ，２２ｆに対して、一定の引っ張り力を加えない限り抜け難いように嵌合される。また、中パイプ型ブロック２０の雄部２１ｃ，２１ｄは、他の中パイプ型ブロック２０’の雌部２２ｅ，２２ｆに嵌合された状態のまま雌部２２ｅ，２２ｆの延長方向に沿って円弧状に移動することができる。一方、同様に、他の中パイプ型ブロック２０’の平面２５ｃの雄部２１ｅ，２１ｆも各々、中パイプ型ブロック２０の第二平面２５ｂの雌部２２ｃ，２２ｄに嵌合する。他の中パイプ型ブロック２０’の雄部２１ｅ，２１ｆも中パイプ型ブロック２０の雌部２２ｃ，２２ｄに対し、一定の引っ張り力を加えない限りは抜け難く、かつ、雌部２２ｃ，２２ｄに沿って円周方向に円弧状に移動することができる。従って、中パイプ型ブロック２０と他の中パイプ型ブロック２０’とは、結合された後、連結した状態を保持しながら互いに回転させることができる。すなわち、中パイプ型ブロック２０は他の中パイプ型ブロック２０’の平面２５ｃに対して連結位置を適宜変更することができる。
【００１９】
さらに次に、図６及び図７Ａ〜７Ｊに基づいて、組立玩具の玩具ブロックとしての大パイプ型ブロック３０について説明する。なお、図７Ａの正面図は図７Ｂの背面図と対称である。
第一の玩具ブロックである大パイプ型ブロック３０は略円環形状の円環部分３６を有する。円環部分３６の両端には各々、略円環形状の第一平面３５ａ及び第二平面３５ｂが互いに平行に形成されている。すなわち、第一平面３５ａ及び第二平面３５ｂの外周は円形である。なお、大パイプ型ブロック３０の第一平面３５ａ又は第二平面３５ｂの外径の大きさは、中パイプ型ブロック２０の第一平面２５ａ又は第二平面２５ｂの外径の大きさよりも大きい。ここで、第一平面３５ａ上では、３個の円柱形状の凸部である雄部３１ａ，３１ｂ，３１ｃが互いに１２０°ずつ離間して設けられるとともに、Ｘ方向正側に突出して延びている。また、雄部３１ａ，３１ｂ，３１ｃのそれぞれの間には、３個の円弧状の細長帯形状の凹部である雌部３２ａ，３２ｂ，３３ｃが形成される。図７Ｇ〜７Ｉに示すように、雌部３２ａ，３２ｂ，３３ｃは第一平面２５ａに対してＸ方向負側に向かって窪んで形成されている。すなわち、雄部３１ａ，３１ｂ，３１ｃと雌部３２ａ，３２ｂ，３３ｃとは同一の円周上に配列されるように設けられる。また、第二平面３５ｂも第一平面３５ａと同様の形状を有する。ここで、第二平面３５ｂには、第一平面３５ａの雄部３１ａ，３１ｂ，３１ｃ及び雌部３２ａ，３２ｂ，３２ｃと同様の形状の３個の雄部３１ｄ，３１ｅ，３１ｆ及び３個の雌部３２ｄ，３２ｅ，３２ｆが形成される。すなわち、雄部３１ｄ，３１ｅ，３１ｆ及び雌部３２ｄ，３２ｅ，３２ｆも同一の円周上に配列されるように設けられている。なお、第一平面３５ａの雄部３１ａ，３１ｂ，３１ｃ及び雌部３２ａ，３２ｂ，３２ｃと第二平面３５ｂの雄部３１ｄ，３１ｅ，３１ｆ及び雌部３２ｄ，３２ｅ，３２ｆとの位置は、互いに１８０°位相が異なっている。
【００２０】
図６を参照して、大パイプ型ブロック３０を、同様の構造を有する第二の玩具ブロックである他の大パイプ型ブロック３０’と着脱可能に結合させる際の結合の方法について説明する。なお、大パイプ型ブロック３０と結合させる他の大パイプ型ブロック３０’は、大パイプ型ブロック３０と同様に、雄部３１ｇ，３１ｈ，３１ｉ及び雌部３２ｇ，３２ｈ，３２ｉが形成された平面３５ｃを備えている。従って、大パイプ型ブロック３０を他の大パイプ型ブロック３０’と結合させる際、大パイプ型ブロック３０の第二平面３５ｂの雄部３１ｄ，３１ｅ，３１ｆは各々、他の大パイプ型ブロック３０’の平面３５ｃの雌部３２ｇ，３２ｈ，３２ｉに係合される。ここで、小パイプ型ブロック１０又は中パイプ型ブロック２０と同様に、大パイプ型ブロック３０の雄部３１ｄ，３１ｅ，３１ｆは、他の大パイプ型ブロック３０’の雌部３２ｇ，３２ｈ，３２ｉに対して、一定の引っ張り力を加えない限り抜け難いように嵌合される。また、大パイプ型ブロック３０の雄部３１ｄ，３１ｅ，３１ｆは、他の大パイプ型ブロック３０’の雌部３２ｇ，３２ｈ，３２ｉに嵌合された状態のまま雌部３２ｇ，３２ｈ，３２ｉに沿って円周方向に円弧状に移動することができる。一方、同様に、他の大パイプ型ブロック３０’の平面３５ｃの雄部３１ｇ，３１ｈ，３１ｉも各々、大パイプ型ブロック３０の第二平面３５ｂの雌部３２ｄ，３２ｅ，３２ｆに嵌合する。他の大パイプ型ブロック３０’の雄部３１ｇ，３１ｈ，３１ｉも大パイプ型ブロック３０の雌部３２ｄ，３２ｅ，３２ｆに対し抜け難く、かつ、雌部３２ｄ，３２ｅ，３２ｆに沿って円周方向に円弧状に移動することができる。従って、大パイプ型ブロック３０と他の大パイプ型ブロック３０’とは、結合された後、連結した状態を保持しながら互いに回転させることができる。すなわち、大パイプ型ブロック３０は他の大パイプ型ブロック３０’の平面３５ｃに対して連結位置を適宜変更することができる。
【００２１】
また、小パイプ型ブロック１０、中パイプ型ブロック２０及び大パイプ型ブロック３０の結合の方法は、上述したような、同じ種類の玩具ブロックを１個ずつ連結させていく方法に限定されない。
すなわち、図８に示すように、３個の小パイプ型ブロック１０の中心位置をずらした上で互いに雄部及び雌部を係合させ、１個の小パイプ型ブロック１０の一方の平面に他の２個の小パイプ型ブロック１０を結合させることができる。また、図９のように、大パイプ型ブロック３０の一方の平面に小パイプ型ブロック１０を結合させることもできる。
なお、図８及び図９に示す結合の方法に限られず、小パイプ型ブロック１０と中パイプ型ブロック２０とが連結されてもよく、また、中パイプ型ブロック２０と大パイプ型ブロック３０とが連結されてもよい。
【００２２】
次に、図１０（ａ）〜（ｃ）を参照して、玩具ブロックとしての中レジューサ型ブロック４０について説明する。
中レジューサ型ブロック４０は一端に外周が円形の小径平面４５ａを有し、他端に小径平面４５ａよりも外径が大きく、かつ円形の外周を有する大径平面４５ｂを有する。図１０（ｂ）に示すように、小径平面４５ａは、小パイプ型ブロック１０の第一平面１５ａ又は第二平面１５ｂと同様の構造であり、一対の略円柱形状の凸部である雄部４１ａ，４１ｂと一対の円弧状の帯形状の凹部である雌部４２ａ，４２ｂとを有する。なお、雄部４１ａ，４１ｂは小径平面４５ａに対して垂直に突出して延び、雌部４２ａ，４２ｂは小径平面４５ａに対して雄部４１ａ，４１ｂの突出方向とは反対の方向に垂直に窪んで形成される。また、図１０（ｃ）に示すように、大径平面４５ｂは、中パイプ型ブロック２０の第一平面２５ａ又は第二平面２５ｂと同様の構造の略円環形状をなしており、一対の円柱形状の凸部である雄部４１ｃ，４１ｄと一対の円弧状の細長帯形状の凹部である雌部４２ｃ，４２ｄとを有する。ここでも、雄部４１ｃ，４１ｄは大径平面４５ｂに対して垂直に突出して延び、雌部４２ｃ，４２ｄは大径平面４５ｂに対して雄部４１ｃ，４１ｄの突出方向とは反対の方向に垂直に窪んで形成されている。また、図１０（ａ）に示すように、中レジューサ型ブロック４０の側面４６は小径平面４５ａから大径平面４５ｂに向かって広がる、滑らかな略ドーム形状をなしている。従って、中レジューサ型ブロック４０の小径平面４５ａには小パイプ型ブロック１０が連結され、大径平面４５ｂには中パイプ型ブロック２０が連結されることができる。すなわち、径の大きさが違う小パイプ型ブロック１０と中パイプ型ブロック２０とが中レジューサ型ブロック４０を介して滑らかに接続される。
【００２３】
次に、図１１（ａ）〜（ｃ）を参照して、玩具ブロックとしての中キャップ型ブロック５０について説明する。
中キャップ型ブロック５０は、一端に円環形状の円環平面５５ａを有し、他端に円形の平面５５ｂを有する。円環平面５５ａは中パイプ型ブロック２０の第一平面２５ａ又は第二平面２５ｂと同様の構造であり、一対の円柱形状の凸部である雄部５１ａ，５１ｂと一対の円弧状の帯形状の凹部である雌部５２ａ，５２ｂとを有する。なお、雄部５１ａ，５１ｂは円環平面５５ａに対して垂直に突出して延び、雌部５２ａ，５２ｂは円環平面５５ａに対して雄部５１ａ，５１ｂの突出方向とは反対の方向に垂直に窪んで形成される。また、中キャップ型ブロック５０の中央部分には、２個の孔５８が形成されている。
【００２４】
次に、図１２（ｉ）及び（ｉｉ）を参照して、玩具ブロックとしての小エルボ型（９０度）ブロック６０ａ及び小エルボ型（４５度）ブロック６０ｂについて説明する。
図１２（ｉ）の小エルボ型（９０度）ブロック６０ａは９０度湾曲したチューブ形状をなしており、両端には、小パイプ型ブロック１０の第一平面１５ａ又は第二平面１５ｂと同様の構造の雄部及び雌部を有する平面６５ａ，６５ｂが形成されている。すなわち、平面６５ａ，６５ｂは互いに９０度をなす異なる方向に配置されている。また、図１２（ｉｉ）に示す小エルボ型（４５度）ブロック６０ｂは小エルボ型（９０度）ブロック６０ａよりも長さが短く、４５度湾曲したチューブ形状をなしている。小エルボ型（４５度）ブロック６０ｂの両端には、小パイプ型ブロック１０の第一平面１５ａ又は第二平面１５ｂと同様の構造の雄部及び雌部を有する平面６５ｃ，６５ｄが形成されている。すなわち、平面６５ｃと平面６５ｄとは互いに４５度をなす異なる方向に延びるように配置されている。
【００２５】
さらに次に、図１３（ｉ）〜（ｉｉｉ）を参照して、その他の形状を有する玩具ブロックについて説明する。
まず、図１３（ｉ）に示す玩具ブロックは、小チーズ型ブロック７０であり、円筒部７０ａと別の円筒部７０ｂとが直角に組み合わさり、円筒部７０ｂの一部分が円筒部７０ａの中央に埋め込まれた形状をなしている。円筒部７０ａの両端には互いに平行に配置される第一平面７５ａ及び第二平面７５ｂが形成される。また、円筒部７０ｂの端部には第三平面７５ｃが形成されている。すなわち、第一平面７５ａ又は第二平面７５ｂと第三平面７５ｃとは互いに９０度をなす異なる方向に配置されている。なお、第一平面７５ａ，第二平面７５ｂ及び第三平面７５ｃは、小パイプ型ブロック１０の第一平面１５ａ又は第二平面１５ｂと同様の構造の雄部及び雌部を有している。
【００２６】
また、図１３（ｉｉ）に示す玩具ブロックは、小クロス型（１８０度）ブロック８０であり、円筒部８０ａと別の円筒部８０ｂとがそれぞれの中央部分で互いに直角に組み合わさりクロス形状をなしている。円筒部８０ａの両端には互いに平行に配置される平面８５ａ，８５ｂが、円筒部８０ｂの両端には平面８５ｃ，８５ｄがそれぞれ形成される。すなわち、円筒部８０ａの平面８５ａ，８５ｂと円筒部８０ｂの平面８５ｃ，８５ｄとは互いに９０度をなす異なる方向に配置されている。ここで、小クロス型（１８０度）ブロック８０の平面８５ａ，８５ｂ，８５ｃ，８５ｄは、小パイプ型ブロック１０の第一平面１５ａ又は第二平面１５ｂと同様の構造の雄部及び雌部を有している。
【００２７】
また、図１３（ｉｉｉ）に示す玩具ブロックは、中クロス型（９０度）ブロック９０であり、中パイプ型ブロック２０と同様の構造をした円環部９０ａの外周面に、互いに９０度離間して２個の円筒部９０ｂ，９０ｃが設けられている。円環部９０ａの両端には、中パイプ型ブロック２０の第一平面２５ａ又は２５ｂと同様の構造の雄部及び雌部を有する平面９５ａ，９５ｂが形成される。また、円筒部９０ｂ，９０ｃのそれぞれの端部にも小パイプ型ブロック１０の第一平面１５ａ又は１５ｂと同様の構造の雄部及び雌部を有する平面９５ｃ，９５ｄが形成される。すなわち、平面９５ａと平面９５ｂと平面９５ｃ，９５ｄとは各々互いに９０度をなす異なる方向に配置されている。
【００２８】
次に、図１１に示す中キャップ型ブロック５０のように一面にのみ雄部及び雌部が形成されるキャップ型のブロックの変形例として、大キャップ型（亜種）ブロック１００について、図１４を参照して説明する。
大キャップ型（亜種）ブロック１００は、略皿形状の玩具ブロックであり、一方の面に円環形状の円環平面１０５ａと、円環平面１０５ａで囲まれた底部平面１０５ｂを有する。そして底部平面１０５ｂの反対面は蓋面１０７となる。円環平面１０５ａは、大パイプ型ブロック３０の第一平面３５ａ又は第二平面３５ｂと同様の形状をなし、同様の構造の３個の雄部１０１ａ，１０１ｂ，１０１ｃ及び雌部１０２ａ，１０２ｂ，１０２ｃを有している。すなわち、雄部１０１ａ，１０１ｂ，１０１ｃは円環平面１０５ａに対して垂直に突出して延び、雌部１０２ａ，１０２ｂ，１０２ｃは円環平面１０５ａに対して雄部１０１ａ，１０１ｂ，１０１ｃの突出方向とは反対の方向に垂直に窪んで形成される。また、雄部１０１ａ，１０１ｂ，１０１ｃと雌部１０２ａ，１０２ｂ，１０２ｃとは同一の円周上に設けられている。
【００２９】
また、底部平面１０５ｂには、一対の雄部１０６ａと一対の雌部１０６ｂと取付孔１０６ｃとが１つの単位となった取付部１０６が７個形成されている。この取付部１０６の一対の雄部１０６ａ及び一対の雌部１０６ｂは、各々、小パイプ型ブロック１０の第一平面１５ａ又は第二平面１５ｂが有する雄部１１ａ〜１１ｄ及び雌部１２ａ〜１２ｄと同様の形状のものである。すなわち、一対の雄部１０６ａは底部平面１０５ｂに対して垂直に突出して延び、一対の雌部１０６ｂは底部平面１０５ｂに対して雄部１０６ａの延長方向とは反対の方向に垂直に窪んで形成される。また、各々の取付部１０６の一対の雄部１０６ａ及び一対の雌部１０６ｂは同一の円周上に設けられる。
【００３０】
次に、図１５（ｉ）〜（ｉｉｉ）を参照して、各種の玩具ブロックの組み立て方の例を説明する。
図１５（ｉ）では、上から順に中パイプ型ブロック２０と、中レジューサ型ブロック４０と、２個の小パイプ型ブロック１０と、小エルボ型（９０度）ブロック６０ａと、小エルボ型（４５度）ブロック６０ｂとが結合されている。なお、２個の小パイプ型ブロック１０は互いに中心位置をすらして結合されている。
図１５（ｉｉ）は、小チーズ型ブロック７０の３個の平面７５ａ，７５ｂ，７５ｃのそれぞれに小パイプ型ブロック１０が結合される例である。
図１５（ｉｉｉ）は、中クロス型（９０度）ブロック９０の円環部９０ａに中パイプ型ブロック２０を結合させ、円筒部９０ｂに小チーズ型ブロック７０を結合させる例である。
【００３１】
また、各種の玩具ブロックを組み合わせて、図１６に示すようなクマの人形２００を造ることもできる。
人形２００は、顔部２０１と、顔部２０１と接続する胴体２０２と、胴体２０２に取り付けられる４本の脚２０３を備える。また、顔部２０１には一対の耳２０１ａが取り付けられる。図１６（ｂ）に示すように、人形２００の耳２０１ａは顔部２０１に対して動かすことができる。また、図１６（ｃ）に示すように、人形２００の顔部２０１や脚２０３は角度や向きを変えることができる。
【００３２】
クマの人形２００の顔部２０１の構造について、図１７（ａ）〜（ｃ）を用いて説明する。
図１７（ａ）及び（ｂ）に示すように、顔部２０１は、耳２０１ａと、耳２０１ａを挟んで前側に取り付けられる略円柱形状の顔前部２０１ｂと、耳２０１ａを挟んで後ろ側に取り付けられる略円柱形状の顔後部２０１ｄとを備える。また、さらにこれに加えて、顔部２０１は、顔前部２０１ｂの下半分に取り付けられる鼻２０１ｃと、顔前部２０１ｂと顔後部２０１ｄとの間に設けられるスペーサ２０１ｅとを備える。
【００３３】
顔部２０１の各部分の詳細な構造について、図１７（ｃ）を参照して説明する。
まず、耳２０１ａは２個の中キャップ型ブロック５０を連結させたものである。また、顔前部２０１ｂ及び顔後部２０１ｄは、それぞれ大パイプ型ブロック３０に、中キャップ型ブロック５０よりも径が大きい大キャップ型ブロック５０ｂを連結させたものである。また、顔前部２０１ｂの大キャップ型ブロック５０ｂの連結孔には、クマの眼を表現するピン２が差し込まれる。また、鼻２０１ｃは、中パイプ型ブロック２０と中キャップ型ブロック５０と、中キャップ型ブロック５０よりも径が小さい小キャップ型ブロック５０ａとを組み合わせたものである。また、スペーサ５０ａはそれぞれ２個の小キャップ型ブロック５０ａを組み合わせたものである。顔前部２０１ｂと顔後部２０１ｄとの間の耳２０１ａ及びスペーサ２０１ｅは、それぞれピン３によって前後の大パイプ型ブロック３０に取り付けられる。
【００３４】
さらに、図１８（ｉ）に示すように、小パイプ型ブロック１０を複数個連結させてシャープペンシルの構造体を造ることもできる。また、図１８（ｉｉ）に示すように、大パイプ型ブロック３０を積み重ねて、小物入れなどの雑貨を造ることもできる。
【００３５】
さらに、図１９に示すように、板状のブロック４に形成された互いに直交するレール状の溝４ａ又は４ｂに小パイプ型ブロック１０の雄部を嵌合して、小パイプ型ブロック１０を自在に直線移動させるような動的な構造物をつくることもできる。また、図２０に示すように、皿形状のブロック５の円環形状の縁部５ｄに形成されたレール形状の３対の溝５ａ，５ｂ，５ｃに小パイプ型ブロック１０の雄部を嵌合させ、小パイプ型ブロック１０を円弧状に移動させることもできる。
【００３６】
以上より、この実施の形態に係る組立玩具では、玩具ブロックの平面に形成される雄部及び雌部が同一の円周上に設けられているため、雄部及び雌部が直線状に配列される場合に比べて、玩具ブロックの連結面としての平面同士を様々な角度で連結させることができる。そのため、玩具ブロックの組み合わせによる造形の自由度が高くなる。
【００３７】
また、特許文献１に示す従来の組立玩具の玩具ブロックでは、玩具ブロックの凹凸部に別の玩具ブロックの凹凸部を連結させて一定の形状を造りあげた後は、各々の玩具ブロックを回転させたり、玩具ブロック同士の位置をずらしたりすることできなかった。しかしながら、この実施の形態に係る組立玩具では、玩具ブロック同士が連結した状態を保持しながら、一方の玩具ブロックが他方の玩具ブロックに対して回転することができる。そのため、複数の玩具ブロックを一定の形状に組み立てた後でも細部の形状を適宜変更することができ、造形の自由度がより高くなる。
なお、玩具ブロックは回転移動だけでなく、図１９及び図２０に示すように、他の部材のレール状の溝に沿って直線移動や円弧状の移動をしたりすることもできるため、部分的に動かせることを前提とした動的な構造物を造形することができる。
【００３８】
また、この実施の形態に係る組立玩具では、玩具ブロックの各々は１つの平面に雄部と雌部とを備えるため、使用者は玩具ブロックの方向性を気にすることなく、どの平面からでも他の玩具ブロックを連結させていくことができる。そのため、玩具ブロック同士を連結させるための連結部材が不要になり、組立玩具全体としての部品点数を減らすことができる。
【００３９】
また、図１〜１４に示すように、各種の玩具ブロックの雄部は円柱形状の凸部であり、雌部は帯状に形成される凹部であり、雄部が雌部に対して雌部の幅方向に嵌合可能であるため、玩具ブロック同士は一定の引っ張り力を加えない限り互いに外し難くなっている。
さらに、雌部が円弧状の凹部であることにより、玩具ブロック同士の雄部と雌部とを互いに嵌め合わせてスムーズに回転移動させることができ、使用者が玩具ブロック同士を組み立てた後に形を整えるためにひねるという動作が可能になる。
【００４０】
さらに、図１〜１４に示すように、各種の玩具ブロックが有する平面の外周は円形であるため、図１６及び図１７に示すクマの人形２００や図１８に示すシャープペンシル又は小物入れのように、全体として丸いフォルムの造形が可能となる。
【００４１】
また、図１０に示す中レジューサ型ブロック４０や図１３（ｉｉｉ）に示す中クロス型（９０度）ブロックが外径の各々異なる円形の平面を２つ以上有することにより、径の異なる玩具ブロック同士を互いに接続させることができる。また、中レジューサ型ブロック４０の側面４６は滑らかな曲面であるため、中レジューサ型ブロック４０を介して径の異なる玩具ブロック同士を滑らかに接続することができる。
【００４２】
また、各種の玩具ブロックは互いに平行に配置される一対の平面を有しているため、直線状に複数の玩具ブロックを連結させていくことができる。
さらに、図１２に示す小エルボ型（９０度）ブロック６０ａ又は小エルボ型（４５度）６０ｂや、図１３（ｉ）に示す小チーズ型ブロック７０や、図１３（ｉｉ）に示す小クロス型（１８０度）ブロック８０又は図１３（ｉｉｉ）に示す中クロス型（９０度）ブロック９０は、異なる方向に配置される２個以上の平面を有する。これにより、様々な方向に玩具ブロックを連結させることができ、より立体的な造形が可能となる。
【００４３】
なお、この実施の形態において玩具ブロックの雄部は円柱形状の凸部であるが、角柱形状やその他の柱形状であってもよい。さらに、玩具ブロックに形成される平面は円形に限定されず、楕円形であってもよい。
【００４４】
また、図１〜１４に示す各種の玩具ブロックを図１５に示すように組み立てた際、各々の玩具ブロックに形成される貫通孔や開口に光ファイバを設けても良い。これにより、光ファイバを発光させて、複数の玩具ブロックによって造形された構造物を光らせることができる。
【００４５】
さらにまた、この発明に係る組立玩具の玩具ブロックに形成される雌部の形状は、細長帯形状の溝に限定されず、図２１又は図２２に示すように断面が円形の凹部であってもよい。
ここで、図２１に示す玩具ブロック２３０について説明すると、略円筒形状の玩具ブロック２３０の両端には各々、略円環形状の第一平面２３５ａ及び第二平面２３５ｂが互いに平行に形成されている。すなわち、第一平面２３５ａ及び第二平面２３５ｂの外周は円形である。また、第一平面２３５ａ上では、５個の円柱形状の凸部である雄部２３１が、第一平面２３５ａの形状に沿って各々等間隔に離間して設けられるとともに、Ｘ方向正側に突出して延びている。また、雄部２３１のそれぞれの間には、断面が円形の凹部である雌部２３２が３個ずつ、Ｘ方向負側に向かって窪んで形成される。すなわち、第一平面２３５ａ上では、１個の雄部２３１と３個の雌部２３２との配列が第一平面２３５ａの周方向に沿って５回繰り返されて配置されている。従って、第一平面２３５ａには合計１５個の凹部が設けられている。そして、５個の雄部２３１と１５個の雌部２３２とは同一の円周上に配列されるように設けられる。また、第二平面２３５ｂも第一平面２３５ａと同様の形状であり、５個の雄部２３１と１５個の雌部２３２を有している。
【００４６】
そして、第一の玩具ブロックである玩具ブロック２３０は、同様の構造を有する第二の玩具ブロックである他の玩具ブロック２３０’と結合することができる。２つの玩具ブロック２３０，２３０’が結合される際は、第一の玩具ブロック２３０の第二平面２３５ｂの雄部２３１は第二の玩具ブロック２３０’の平面２３５ｃの雌部２３２に着脱可能に嵌合される。さらに、第二の玩具ブロック２３０’の平面２３５ｃの雄部２３１は第一の玩具ブロック２３０の第二平面２３５ｂの雌部２３２に着脱可能に嵌合される。ここで、２個の玩具ブロック２３０，２３０’の雄部２３１と雌部２３２とが互いに嵌合し合う向きであれば、第一の玩具ブロック２３０は第二の玩具ブロック２３０’に対してどのような角度で結合されてもよい。
【００４７】
また、図２２に示す玩具ブロック３３０について説明すると、略円筒形状の玩具ブロック３３０の両端には各々、略円環形状の第一平面３３５ａ及び第二平面３３５ｂが互いに平行に形成されている。すなわち、第一平面３３５ａ及び第二平面３３５ｂの外周は円形である。また、第一平面３３５ａ上では、１０個の円柱形状の凸部である雄部３３１と、円形の断面を有する凹部である１０個の雌部３３２とが、第一平面３３５ａの形状に沿って交互に並んで配置されている。ここで、雄部３３１はＸ方向正側に突出して延び、雌部３３２はＸ方向負側に向かって窪んで形成される。従って、１０個の雄部３３１と１０個の雌部３３２とは同一の円周上に配列されるように設けられている。また、第二平面３３５ｂも第一平面３３５ａと同様の形状であり、１０個の雄部３３１と１０個の雌部３３２を有している。
【００４８】
そして、第一の玩具ブロックである玩具ブロック３３０は、同様の構造を有する第二の玩具ブロックである玩具ブロック３３０’と結合することができる。２つの玩具ブロック３３０，３３０’が結合される際は、第一の玩具ブロック３３０の第二平面３３５ｂの雄部３３１は第二の玩具ブロック３３０’の平面３３５ｃの雌部３３２に着脱可能に嵌合される。さらに、第二の玩具ブロック３３０’の平面３３５ｃの雄部３３１は第一の玩具ブロック３３０の第二平面３３５ｂの雌部３３２に着脱可能に嵌合される。ここで、２個の玩具ブロック３３０，３３０’の各々の雄部３３１と雌部３３２とが互いに嵌合し合う向きであれば、第一の玩具ブロック３３０は第二の玩具ブロック３３０’の平面３３５ｃに対してどのような角度で結合されてもよい。
【００４９】
以上より、図２１に示す玩具ブロック２３０及び図２２に示す玩具ブロック３３０では、雄部及び雌部が同一の円周上に設けられているため、玩具ブロックの平面同士を様々な角度で連結させることができる。また、玩具ブロック同士は着脱可能に連結されるため、一度結合された玩具ブロック同士を取り外し、角度を変えて再度結合し直して、連結位置を変更させることもできる。
【００５０】
また、図２１に示す玩具ブロック２３０では、第一平面２３５ａ又は第二平面２３５ｂ上において１個の雄部２３１と、雄部２３１より多い３個の雌部２３２との配列が５回繰り返されて配置されている。このため、第一の玩具ブロック３３０を第二の玩具ブロック３３０’に対して小刻みに角度を変えながら、より多様な角度で連結させることができる。
なお、玩具ブロック２３０の第一平面２３５ａ又は第二平面２３５ｂに設けられる雄部２３１と雌部２３２との配列は、１つの雄部と雄部よりも多い複数の雌部とを組み合わせた配列に限定されない。すなわち、玩具ブロック２３０の第一平面２３５ａ又は第二平面２３５ｂには、２個以上の複数の雄部と、雄部よりも多い複数の雌部とによって構成される配列が繰り返されて設けられていてもよい。
また、図２２に示す玩具ブロック３３０でも、雄部３３１と雌部３３２とが同一の円周上において交互に配置されるため、玩具ブロック２３０と同様に、玩具ブロック３３０同士を小刻みに角度を調整しながら多様な角度で連結させることができる。
【００５１】
また、この発明に係る組立玩具の玩具ブロックに形成される雌部の形状は、図２３に示すように、複数の同径の円が重なり合って円周上に連続する帯形状を有する凹部であってもよい。
具体的には、図２３（ｂ）に示すように、略円筒形状の玩具ブロック４３０の両端には各々、図２３（ａ）に示すような略円環形状の第一平面４３５ａ及び第二平面４３５ｂが互いに平行に形成されている。すなわち、第一平面４３５ａ及び第二平面４３５ｂの外周は円形である。また、第一平面４３５ａ上では、３個の円柱形状の凸部である雄部４３１が、第一平面４３５ａの形状に沿って各々１２０°ずつ離間して設けられるとともに、Ｘ方向正側に突出して延びている。また、３個の雄部４３１のそれぞれの間には、帯形状の凹部である雌部４３２が形成されている。各々の雌部４３２は、１２個の同径の円４３２ａが重なり合って円周上に連続する帯形状をなす凹部であり、Ｘ方向負側に向かって窪んで形成されている。そして、各々の円４３２ａは、雄部４３１が着脱可能に嵌合し得るように形成されている。また、第二平面４３５ｂも第一平面４３５ａと同様の形状であり、３個の雄部４３１と３個の雌部４３２を有している。
【００５２】
そして、第一の玩具ブロックである玩具ブロック４３０は、同様の構造を有する第二の玩具ブロックである他の玩具ブロック４３０’と結合することができる。２つの玩具ブロック４３０，４３０’が結合される際は、第一の玩具ブロック４３０の第二平面４３５ｂの雄部４３１は第二の玩具ブロック４３０’の平面４３５ｃの雌部４３２に着脱可能に嵌合される。さらに、第二の玩具ブロック４３０’の平面４３５ｃの雄部４３１は第一の玩具ブロック４３０の第二平面４３５ｂの雌部４３２に着脱可能に嵌合される。ここで、雌部４３２は１２個の円４３２ａが連続した形状なので、各々の円４３２ａに対応する位置に雄部４３１は嵌合され、位置を固定される。一方、第二の玩具ブロック４３０’に結合された状態の第一の玩具ブロック４３０を第二の玩具ブロック４３０’に対して回転させるように力を加えた場合、各々の雄部４３１は各々の雌部４３２に嵌合された状態で雌部４３２の延長方向に沿って移動することができる。すなわち、雌部４３２の円４３２ａに対応する位置に嵌合された雄部４３１は、雌部４３２の延長方向に所定以上の力を加えられることで隣接する別の円４３２ａに対応する位置に移動することができる。
【００５３】
従って、図２３に示す玩具ブロック４３０では、雄部４３１及び雌部４３２が同一の円周上に設けられているため、第一の玩具ブロック４３０の第二平面４３５ｂを第二の玩具ブロック４３０’の平面４３５ｃに対して様々な角度で連結させることができる。
また、玩具ブロック４３０の雄部４３１は雌部４３２に嵌合された状態で雌部４３２の延長方向に移動することができる。そのため、第一の玩具ブロック４３０は、第二の玩具ブロック４３０’に連結した状態を保持しながら第二の玩具ブロック４３０’に対して回転することができ、連結位置を変更することができる。
さらに、玩具ブロック４３０に一定以上の力が加えられない限り、雄部４３１は雌部４３２の円４３２ａに対応する位置に固定されるため、第一の玩具ブロック４３０と第二の玩具ブロック４３０’とは互いに安定した状態で結合することができる。
【符号の説明】
【００５４】
１１ａ〜１１ｆ，２１ａ〜２１ｆ，３１ａ〜３１ｉ，４１ａ〜４１ｄ，５１ａ，５１ｂ，１０１ａ〜１０１ｃ，１０６ａ，２３１，３３１，４３１  雄部、
１２ａ〜１２ｆ，２２ａ〜２２ｆ，３２ａ〜３２ｉ，４２ａ〜４２ｄ，５２ａ，５２ｂ，１０２ａ〜１０２ｃ，１０６ｂ，２３２，３３２，４３２  雌部、
１５ａ，２５ａ，３５ａ，７５ａ，２３５ａ，３３５ａ，４３５ａ  第一平面（平面）、１０  小パイプ型ブロック（第一の玩具ブロック）、１０’  小パイプ型ブロック（第二の玩具ブロック）、
１５ｂ，２５ｂ，３５ｂ，７５ｂ，２３５ｂ，３３５ｂ，４３５ｂ  第二平面（平面）、１５ｃ，２５ｃ，３５ｃ，２３５ｃ，３３５ｃ，４３５ｃ  平面、２０  中パイプ型ブロック（第一の玩具ブロック）、２０’  中パイプ型ブロック（第二の玩具ブロック）、３０  大パイプ型ブロック（第一の玩具ブロック）、３０’  大パイプ型ブロック（第二の玩具ブロック）、４０  中レジューサ型ブロック（玩具ブロック）、４５ａ  小径平面（平面）、４５ｂ  大径平面（平面）、５０  中キャップ型ブロック（玩具ブロック）、５０ａ  小キャップ型ブロック（玩具ブロック）、５０ｂ  大キャップ型ブロック（玩具ブロック）、５５ａ  円環平面（平面）、６０ａ  小エルボ型（９０度）ブロック（玩具ブロック）、６０ｂ  小エルボ型（４５度）ブロック（玩具ブロック）、
６５ａ〜６５ｄ，８５ａ〜８５ｄ，９５ａ〜９５ｄ  平面、７０  小チーズ型ブロック（玩具ブロック）、７５ｃ  第三平面（平面）、８０  小クロス型（１８０度）ブロック（玩具ブロック）、９０  中クロス型（９０度）ブロック（玩具ブロック）、１００  大キャップ型（亜種）ブロック（玩具ブロック）、１０５ａ  円環平面（平面）、１０５ｂ  底部平面（平面）、
２３０，３３０，４３０  第一の玩具ブロック、２３０’，３３０’，４３０’  第二の玩具ブロック。
【図１】
2016179147.tif 000003
【図２】
2016179147.tif 000004
【図３Ａ】
2016179147.tif 000005
【図３Ｂ】
2016179147.tif 000006
【図３Ｃ】
2016179147.tif 000007
【図３Ｄ】
2016179147.tif 000008
【図３Ｅ】
2016179147.tif 000009
【図３Ｆ】
2016179147.tif 000010
【図３Ｇ】
2016179147.tif 000011
【図３Ｈ】
2016179147.tif 000012
【図３Ｉ】
2016179147.tif 000013
【図４】
2016179147.tif 000014
【図５Ａ】
2016179147.tif 000015
【図５Ｂ】
2016179147.tif 000016
【図５Ｃ】
2016179147.tif 000017
【図５Ｄ】
2016179147.tif 000018
【図５Ｅ】
2016179147.tif 000019
【図５Ｆ】
2016179147.tif 000020
【図５Ｇ】
2016179147.tif 000021
【図５Ｈ】
2016179147.tif 000022
【図５Ｉ】
2016179147.tif 000023
【図６】
2016179147.tif 000024
【図７Ａ】
2016179147.tif 000025
【図７Ｂ】
2016179147.tif 000026
【図７Ｃ】
2016179147.tif 000027
【図７Ｄ】
2016179147.tif 000028
【図７Ｅ】
2016179147.tif 000029
【図７Ｆ】
2016179147.tif 000030
【図７Ｇ】
2016179147.tif 000031
【図７Ｈ】
2016179147.tif 000032
【図７Ｉ】
2016179147.tif 000033
【図７Ｊ】
2016179147.tif 000034
【図８】
2016179147.tif 000035
【図９】
2016179147.tif 000036
【図１０】
2016179147.tif 000037
【図１１】
2016179147.tif 000038
【図１２】
2016179147.tif 000039
【図１３】
2016179147.tif 000040
【図１４】
2016179147.tif 000041
【図１５】
2016179147.tif 000042
【図１６】
2016179147.tif 000043
【図１７】
2016179147.tif 000044
【図１８】
2016179147.tif 000045
【図１９】
2016179147.tif 000046
【図２０】
2016179147.tif 000047
【図２１】
2016179147.tif 000048
【図２２】
2016179147.tif 000049
【図２３】
2016179147.tif 000050